(57)【要約】      （修正有）【課題】太ももの裏側の局所に痛みが生じたり、大腿動脈が圧迫されることによる不具合（足が痺れたり、貧血を起こすなど）を引き起こすことのない、安全な洋式トイレを提供する。【解決手段】排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部１０１の位置を、接地面に対して水平である水平位置から、接地面に対して傾く傾斜位置へと緩やかな動作で変化させる緩動傾斜手段であるゴム製クッション３０１及びガススプリング３０２を所定の位置に装備する。【選択図】図６
2012231882.tif 000002
【特許請求の範囲】
【請求項１】
排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を有する洋式トイレ
【請求項２】
少なくとも排泄行為者が座る座面部を有する便器と、当該便器を支持する便器支持体と、を有する洋式トイレであって、
前記緩動傾斜手段として、前記便器と前記便器を支持する前記便器支持体との間に挟装する第１弾性体又は前記便器と前記便器支持体とを結合する第２弾性体を使用した請求項１の洋式トイレ
【請求項３】
不用意な便器の傾斜を抑止する便器傾斜抑止手段を付加した請求項１又は請求項２の洋式トイレ
【請求項４】
前記第２弾性体が、ガススプリングである請求項１、請求項２又は請求項３の洋式トイレ
【請求項５】
便器の上部に便座を載置するタイプの洋式トイレにおいて、当該便座と当該便器との間に緩衝傾斜手段を設けた、請求項１の洋式トイレ
【発明の詳細な説明】
【技術分野】
【０００１】
本願発明は、座面部が緩やかな動作で傾斜する洋式トイレに関するものである。
【背景技術】
【０００２】
一般便器（洋式トイレ）は大腿動脈を締め付け、足の痺れ、めまいを起こし長く座れない。こういった欠点等をカバーする便座便器を作製することを課題とした実用新案が存在する。
【先行技術文献】
【特許文献】
【０００３】
【特許文献１】実登３０９６４１７号公報
【発明の概要】
【発明が解決しようとする課題】
【０００４】
上述のとおり、一般便器（洋式トイレ）には構造上大腿動脈を締め付けるという欠点がある。
【０００５】
また、座面部に座った排泄行為者が、座り始めの背筋を伸ばした姿勢から、上体を前方へ傾斜させ背中を丸めた姿勢へと、排泄姿勢を変化することにより、太ももの裏側の局所に排泄行為者の体重の大部分がかかるので、当該太ももの裏側の局所に痛みが生じる。
【課題を解決するための手段】
【０００６】
本願発明の洋式トイレは、上記の課題を解決するために、排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を有する洋式トイレを提供する。
【０００７】
また、本願発明の洋式トイレは、上記の課題を解決するために、少なくとも排泄行為者が座る座面部を有する便器と、当該便器を支持する便器支持体と、を有する洋式トイレであって、排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を有し、前記緩動傾斜手段として、前記便器と前記便器を支持する前記便器支持体との間に挟装する第１弾性体又は前記便器と前記便器支持体とを結合する第２弾性体を使用した洋式トイレを提供する。
【０００８】
また、本願発明の洋式トイレは、上記の課題を解決するために、少なくとも排泄行為者が座る座面部を有する便器と、当該便器を支持する便器支持体と、を有する洋式トイレであって、排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を有し、前記緩動傾斜手段として、前記便器と前記便器を支持する前記便器支持体との間に挟装する第１弾性体又は前記便器と前記便器支持体とを結合する第２弾性体を使用し、さらに、不用意な便器の傾斜を抑止しする便器傾斜抑止手段を付加した洋式トイレを提供する。
【０００９】
また、本願発明の洋式トイレは、上記の課題を解決するために、少なくとも排泄行為者が座る座面部を有する便器と、当該便器を支持する便器支持体と、を有する洋式トイレであって、排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を有し、前記緩動傾斜手段として、前記便器と前記便器を支持する前記便器支持体との間に挟装する第１弾性体又は前記便器と前記便器支持体とを結合するガススプリングを使用し、さらに、不用意な便器の傾斜を抑止しする便器傾斜抑止手段を付加した洋式トイレを提供する。
【００１０】
また、本願発明の洋式トイレは、上記の課題を解決するために、便器の上部に便座を載置するタイプの洋式トイレにおいて、排泄行為者が座り始めの背筋を伸ばした姿勢である排泄第１姿勢から、上体を前方へ傾斜させ背中を丸めた姿勢である排泄第２姿勢へと、排泄姿勢を変化することにより、排泄行為者が座る座面部の位置を、接地面に対して水平である水平位置から、接地面に対して傾く傾斜位置へと緩やかな動作で変化させる緩動傾斜手段を当該便座と当該便器との間に設けた洋式トイレを提供する。
【発明の効果】
【００１１】
本願発明の洋式トイレは、排泄行為者の排泄姿勢の変化に応じて座面部が傾斜するので、太ももの裏側の局所に排泄行為者の体重の大部分がかからず、太ももの裏側全体に排泄行為者の体重の大部分がかかるので、太ももの裏側に痛みが生じない。
【００１２】
また、本願発明の洋式トイレは、排泄行為者の排泄姿勢の変化に応じて座面部が傾斜するので、太ももの裏側の局所に排泄行為者の体重の大部分がかからず、太ももの裏側全体に排泄行為者の体重の大部分がかかるので、大腿動脈を締め付けない。従って、足の痺れや貧血を引き起こすこともなく安全である。
【００１３】
また、本願発明の洋式トイレは、排泄行為者の排泄姿勢の変化に応じて座面部が緩やかに傾斜するので、排泄行為者の排泄姿勢変化の際にバランスを崩して転倒する危険性もない。
【００１４】
また、本願発明の洋式トイレは、便器傾斜抑止手段を付加しているので、座面部を傾斜させる必要がない場面においては、不用意な座面部の傾斜を抑止し水平状態で維持することができる。
【図面の簡単な説明】
【００１５】
【図１】図１は、実施例１の洋式トイレの全体図である。
【図２】図２は、実施例１の洋式トイレのゴム製クッションの設置位置を示すイメージ図である。
【図３】図３は、実施例１の洋式トイレのゴム製クッションの拡大図である。
【図４】図４は、排泄行為者の排泄第１（座り始め）姿勢を示すイメージ図である。
【図５】図５は、実施例１の洋式トイレにおける便器傾斜抑止手段の解除時を示すイメージ図である。
【図６】図６は、排泄行為者の排泄第２姿勢を示すイメージ図である。
【図７】図７は、実施例１の洋式トイレのゴム製クッションが収縮するときのイメージ図である。
【図８】図８は、実施例２の洋式トイレの傾斜前の全体図である。
【図９】図９は、実施例２の洋式トイレの傾斜後の全体図である。
【図１０】図１０は、実施例３の洋式トイレの傾斜前の全体図である。
【発明を実施するための形態】
【００１６】
一般住宅内に設置する洋式トイレとして実施する。
【実施例１】
【００１７】
まずは、実施例１の洋式トイレの構成について、図１から図３に従い説明する。
【００１８】
実施例１の洋式トイレ（１）は、排泄行為者が座る座面部（１０１）を有する便器（１０）と、当該便器（１０）を支持する台座（２０）と、前記台座（２０）と便器（１０）との隙間に挟まれた状態で備え付ける、緩動傾斜手段（３０）を構成する上面視Ｕ字形状のゴム製クッション（３０１）と、前記便器（１０）と前記台座（２０）とを後方側面付近で固着し伸縮可能に結合する、緩動傾斜手段（３０）を構成するガススプリング（３０２）と、不用意な便器（１０）の傾斜を抑止しする便器傾斜抑止手段（４０）と、で構成する。
【００１９】
前記便器の底面には、前記便器（１０）の前方端に位置し、前記台座（２０）の先端方向に突出した便器前方突出部（１０２）と、前記便器（１０）の中央寄り前方に位置し、前記上面視Ｕ字形状のゴム製クッション（３０１）の上部方向に突出した便器中央突出部（１０３）と、前記便器前方突出部（１０２）と前記便器中央突出部（１０３）との間に挟まれた窪みである便器前方窪み部（１０４）と、を設けている。
【００２０】
前記便器の前方側面部（１０５）は、排泄行為者が膝を曲げて足をより引き付けることができるように、前記便器（１０）の上面前方側から接地面後方側（図１で示す左上から右下）に向けて角度を付けている。
【００２１】
前記台座（２０）の上面には、前記台座（２０）の前方端に位置し、前記便器（１０）の先端方向に突出した台座前方突出部（２０２）と、前記台座（２０）の前方端近傍に位置し、前記上面視Ｕ字形状のゴム製クッション（３０１）を載置する台座前方窪み部（２０３）と、を設けている。
【００２２】
前記台座の前方側面部（２０５）は、排泄行為者が膝を曲げて足をより引き付けることができるように、前記台座（２０）の上面前方側から接地面後方側（図１で示す左上から右下）に向けて角度を付けている。
【００２３】
なお、前記便器前方窪み部（１０４）の形状及び大きさは、前記台座前方突出部（２０２）が嵌まる形状及び大きさ以上であれば良いが、嵌まった後の前記便器（１０）の動きを補助する機能を兼ね備えるためには、嵌まった後の隙間が少なくなる形状及び大きさである方が好ましい。
【００２４】
前記上面視Ｕ字形状のゴム製クッション（３０１）の厚さは、前記便器（１０）及び台座（２０）の前方側が厚く、後方側に向かうほど徐々に薄くなっている。
【００２５】
なお、前記上面視Ｕ字形状のゴム製クッション（３０１）の形状は、上面視Ｕ字形状であるが、前記便器（１０）の押圧を受け収縮可能な形状であれば良く、他の形状にも変更し得る。
【００２６】
なお、第１弾性体として、上面視Ｕ字形状のゴム製クッション（３０１）を使用しているが、前記便器（１０）の押圧を受け収縮可能なものであれば良く、例えばゲル状物又は気体を注入したクッションなどにも設計変更し得る。
【００２７】
前記ガススプリング（３０２）の結合端位置は、前記便器（１０）及び前記台座（２０）の後方側面付近の位置で固着しているが、前記便器（１０）及び前記台座（２０）の緩やかな動作が実現できる位置（伸縮動作時に減衰作用が生じる位置）であれば設計変更し得る。
【００２８】
前記ガススプリング（３０２）の設置方向は、前記便器（１０）と前記台座（２０）を垂直に結合しているが、前記便器（１０）及び前記台座（２０）の緩やかな動作が実現できる設置方向（伸縮動作時に減衰作用が生じる設置方向）であれば、例えば斜めに設置することもし得る。
【００２９】
なお、第２弾性体として、前記ガススプリング（３０２）を使用しているが、前記便器（１０）及び前記台座（２０）の緩やかな動作が実現できれば良く、同様の機能を果たす他の弾性体に代えることも許容し得る。
【００３０】
なお、緩動傾斜手段（３０）として、上面視Ｕ字形状のゴム製クッション（３０１）及びガススプリング（３０２）を使用しているが、前記便器（１０）及び前記台座（２０）の緩やかな動作が実現できれば良く、同様の機能を果たす他の代替手段を採用することも許容し得る。
【００３１】
なお、前記便器傾斜抑止手段（４０）として、前記便器前方突出部（１０２）と前記台座前方突出部（２０２）との先端部を相互に簡易的に結合する構造としているが、同様の機能を果たす他の代替手段を採用することも許容し得る。
【００３２】
次に、実施例１の洋式トイレの動作について、図１及び図４から図７に従い説明する。
【００３３】
排泄行為者が座面部（１０１）にでん部を載せ、座り始めの背筋を伸ばした姿勢（以下、排泄第１姿勢という）で座る。
【００３４】
なお、前記排泄第１姿勢の時には、排泄行為者の体重が太もも裏の全体及びでん部にかかっている。
【００３５】
排泄行為者が排泄第１姿勢から、上体を前方へ傾斜させ背中を丸めた姿勢（以下、排泄第２姿勢という）に変化すると、排泄行為者が便器に加重している部分がでん部から膝の方向へと移動するため前記便器の前方に加重がかかり、便器前方突出部（１０２）と台座前方突出部（２０２）との簡易結合が外れる（解除される）。
【００３６】
前記便器前方突出部（１０２）と前記台座前方突出部（２０２）との簡易結合が外れることにより、前記台座前方突出部（２０２）が、便器前方窪み部（１０４）に嵌まり込むとともに、便器中央突出部（１０３）が上面視Ｕ字形状のゴム製クッション（３０１）に嵌まり込む（図７）。
【００３７】
さらに、排泄行為者の体重により、前記便器の座面部（１０１）の先端側が押下される。
【００３８】
前記座面部（１０１）の先端側が押下されることにより、便器中央突出部（１０３）が前記上面視Ｕ字形状のゴム製クッション（３０１）をさらに押下し、前記上面視Ｕ字形状のゴム製クッション（３０１）が押下されることにより、前記上面視Ｕ字形状のゴム製クッション（３０１）が収縮する。
【００３９】
前記上面視Ｕ字形状のゴム製クッション（３０１）の収縮により、前記上面視Ｕ字形状のゴム製クッション（３０１）の上部位置に積載された前記便器（１０）の前方側が接地面方向に下降し、前記座面部（１０１）が傾斜する。
【００４０】
なお、前記上面視Ｕ字形状のゴム製クッション（３０１）の反発力と前記便器（１０）及び前記台座（２０）の後方側面の設けた前記ガススプリング（３０２）の伸張動作時の減衰作用により、前記座面部（１０）の傾斜動作は緩やかに傾斜する。
【００４１】
また、前記排泄行為者が、排泄第１姿勢に戻ると、前記上面視Ｕ字形状のゴム製クッション（３０１）の反発力と前記便器（１０）及び前記台座（２０）の後方側面の設けた前記ガススプリング（３０２）の収縮動作時の減衰作用により、前記座面部（１０）は緩やかに水平位置に戻る。
【実施例２】
【００４２】
実施例２の洋式トイレは、便器の滑動方向にガススプリング（３０２）を装備した洋式トイレである。
【００４３】
まずは、実施例２の洋式トイレの構成について、図８に従い説明する。
【００４４】
実施例２の洋式トイレ（１）は、排泄行為者が座る座面部（１０１）を有する便器（１０）と、当該便器（１０）を支持する台座（２０）と、前記便器（１０）の底面部近傍で、前記便器（１０）の滑動方向に装備した２本のガススプリング（３０２）と、で構成する。
【００４５】
前記便器（１０）の底面には、前記便器の滑動方向に３本の平行した溝部を設けている。
【００４６】
前記台座（２０）の上面部は、後方から前方に向かって下降するなだらかな湾曲面を形成しており、かつ、前記便器（１０）の３本の溝部に対応する箇所に便器溝対応台座突出部（２０６）を設けている。
【００４７】
前記便器の前方側面部（１０５）は、排泄行為者が膝を曲げて足をより引き付けることができるように、前記便器（１０）の上面前方側から接地面後方側（図８で示す左上から右下）に向けて角度を付けている。
【００４８】
前記台座の前方側面部（２０５）は、排泄行為者が膝を曲げて足をより引き付けることができるように、前記台座（２０）の上面前方側から接地面後方側（図８で示す左上から右下）に向けて角度を付けている。
【００４９】
前記ガススプリング（３０２）は、前記便器溝対応台座突出部（２０６）の中央溝部位置で、前記便器（１０）と前記台座（２０）とを伸縮可能に結合している。
【００５０】
なお、緩動傾斜手段（３０）として、前記ガススプリング（３０２）を使用しているが、前記便器（１０）を緩やかに移動（滑動）させることができれば良く、同様の機能を果たす他の弾性体に代えること及び他の代替手段を採用することも許容し得る。
【００５１】
次に、実施例２の洋式トイレの動作について、図８及び図９に従い実施例１の洋式トイレとの変更点のみ説明する。
【００５２】
排泄行為者が排泄第１姿勢から排泄第２姿勢に変化すると、排泄行為者が便器（１０）に加重している部分がでん部から膝の方向へと移動するため前記便器（１０）の前方に加重がかかり、排泄行為者の体重により、前記便器（１０）の先端部を押下される。
【００５３】
前記座面部（１０１）の先端が押下されることにより、前記便器（１０）が湾曲形成した台座（２０）上を、前記台座（２０）の便器溝対応台座突出部（２０６）に沿って図示左方向に滑動するとともに、一端を便器（１０）に結合している２本のガススプリング（３０２）が伸張する（図９）。
【００５４】
前記便器（１０）の滑動動作により、前記便器（１０）の前方側が地面方向に下降し、座面部（１０１）が傾斜する。
【００５５】
なお、前記便器（１０）の滑動方向に装備した２本のガススプリング（３０２）の伸張動作時の減衰作用により、座面部（１０１）の傾斜動作は緩やかに傾斜する。
【００５６】
また、前記排泄行為者が、排泄第１姿勢に戻ると、前記便器（１０）の滑動方向に装備した２本のガススプリング（３０２）の収縮動作時の減衰作用により、前記座面部（１０）は緩やかに水平位置に戻る。
【実施例３】
【００５７】
実施例３の洋式トイレは、便器の上部に便座を有する洋式トイレであって当該便座と便器の上部との間にゲル注入クッション（３０３）を配置した洋式トイレである。
【００５８】
まずは、実施例３の洋式トイレの構成について、図１０に従い実施例１の洋式トイレとの変更点のみ説明する。
【００５９】
実施例３の洋式トイレ（１）は、便器（１０）と、前記便器（１０）の上部に載置した便座（１０１ａ）と、前記便座（１０１ａ）と前記便器（１０）との間に装備したゲル注入クッション（３０３）と、で構成する。
【００６０】
次に、実施例３の洋式トイレの動作について、図１０に従い実施例１の洋式トイレとの変更点のみ説明する。
【００６１】
排泄行為者が排泄第１姿勢から排泄第２姿勢に変化すると、排泄行為者が便器に加重している部分がでん部から膝の方向へと移動するため前記便器の前方に加重がかかり、排泄行為者の体重により、前記便器（１０）の上部に載置した便座（１０１ａ）の先端部が押下される。
【００６２】
前記便座（１０１ａ）の先端部が押下されることにより、前記便座（１０１ａ）の底部がゲル注入クッション（３０３）を押下し、前記ゲル注入クッション（３０３）が押下されることにより、前記ゲル注入クッション（３０３）が収縮する。
【００６３】
前記ゲル注入クッション（３０３）の収縮により、前記ゲル注入クッション（３０３）の上部位置に積載された前記便座（１０１ａ）の前方側が接地面方向に下降し、前記便座（１０１ａ）の座面部（１０１）が傾斜する。
【００６４】
なお、前記ゲル注入クッション（３０３）の反発力により、前記便座（１０１ａ）の座面部（１０１）の傾斜動作は緩やかに傾斜する。
【００６５】
また、前記排泄行為者が、排泄第１姿勢に戻ると、前記ゲル注入クッション（３０３）の反発力により、前記便座（１０１ａ）の座面部（１０１）は緩やかに水平位置に戻る。
【産業上の利用可能性】
【００６６】
本願発明の洋式トイレは、排泄姿勢の変化に対応し、排泄行為者の安全性又は利便性を簡易な構造で飛躍的に向上させるものであるので、産業上の利用性を有する。
【符号の説明】
【００６７】
１        洋式トイレ
１０      便器
１０１    座面部
１０１ａ  便座
１０２    便器前方突出部
１０３    便器中央突出部
１０４    便器前方窪み部
１０５    前方側面部
２０      台座（便器支持体）
２０２    台座前方突出部
２０３    台座前方窪み部
２０６    便器溝対応台座突出部
３０      緩動傾斜手段
３０１    ゴム製クッション（第１弾性体）
３０２    ガススプリング（第２弾性体）
３０３    ゲル注入クッション（第１弾性体）
４０      便器傾斜抑止手段
【図１】
2012231882.tif 000003
【図２】
2012231882.tif 000004
【図３】
2012231882.tif 000005
【図４】
2012231882.tif 000006
【図５】
2012231882.tif 000007
【図６】
2012231882.tif 000008
【図７】
2012231882.tif 000009
【図８】
2012231882.tif 000010
【図９】
2012231882.tif 000011
【図１０】
2012231882.tif 000012